(57)【要約】【課題】簡単な構成で、吹き出される空気の方向を切り替えられるようにした送風装置を提供する。【解決手段】送風装置である浴室暖房換気乾燥装置１は、温風または送風を吹き出す循環ファン４を有した装置本体２の下面を覆うフロントパネル３を備える。フロントパネル３は、端部へ向けて上側へ傾斜する傾斜部３２と、傾斜部３２に着脱可能に取り付けられ、循環ファン４で吹き出される空気の向きを変える整流板３０ａを有した吹出口グリル３０と、吹出口グリル３０に並列して配置され、空気が吸い込まれる吸込口グリル３１を備える。【選択図】  図１
2010223447.tif 000002
【特許請求の範囲】
【請求項１】
温風または送風を吹き出す送風手段を有した装置本体の下面を覆うフロントパネルを備え、
前記フロントパネルは、
端部へ向けて上側へ傾斜する傾斜部と、
前記傾斜部に着脱可能に取り付けられ、前記送風手段で吹き出される空気の向きを変える整流板を有した吹出口グリルと、
前記吹出口グリルに並列して配置され、空気が吸い込まれる吸込口グリルを備えた
ことを特徴とする送風装置。
【請求項２】
前記吹出口グリルは、前記フロントパネルの長手方向に沿った長方形で、前記フロントパネルの短手方向に沿って前記吸込口グリルと並列される
ことを特徴とする請求項１記載の送風装置。
【請求項３】
前記吹出口グリルは、一の向きで前記フロントパネルに取り付けられると、前記整流板の傾斜角が前記吸込口グリルの反対側を向く第１の角度となり、一の向きと反対の他の向きで前記フロントパネルに取り付けられると、前記整流板の傾斜角が鉛直に対して第１の角度より小さい第２の角度となって前記吸込口グリル側に向く
ことを特徴とする請求項２記載の送風装置。
【請求項４】
前記フロントパネルは、前記吸込口グリルが設けられる短手方向の中央部分から両端部へ向けて湾曲した形状で、上側へ向けて湾曲した一方の部分に前記傾斜部が形成されると共に、上側へ向けて湾曲した他方の部分に前記吸込口グリルが形成される
ことを特徴とする請求項１〜３の何れか１項に記載の送風装置。
【請求項５】
前記フロントパネルの前記傾斜部の傾斜角は、１．５°〜５°の間に設定される
ことを特徴とする請求項１〜４の何れか１項に記載の送風装置。
【発明の詳細な説明】
【技術分野】
【０００１】
本発明は、温風等を吹き出して浴室等の室内の暖房及び衣類の乾燥等を行う送風装置に関する。
【背景技術】
【０００２】
従来から、浴室に温風を吹き出して暖房を行う機能及び浴室内に掛けた衣類等を乾燥させる機能を備えた浴室暖房換気乾燥機等と称される浴室用の送風装置が提供されている。
【０００３】
浴室暖房換気乾燥機は、浴室の天井に設置される形態で、天井に露出したフロントパネルから、温風等を浴室内へ向けて吹き出す構成となっている。さて、浴室暖房換気乾燥機から吹き出す風が洗い場に居る入浴者に当たると、温風であっても寒さを感じることがある。このため、浴室暖房換気乾燥機では、空気の吹き出す方向を浴槽と洗い場の間にあるランドリパイプの方向として、衣類に直接温風を当たるようにしている。
【０００４】
浴室暖房換気乾燥機では、温風等が吹き出される吹出口グリルが、横長の形状のものが提案されている（例えば、特許文献１参照）。吹出口グリルが横長の形状であると、浴室全体に温風を行き渡らせることができると共に、ランドリパイプに掛けられた衣類の多くに温風を当てることができるようになる。
【先行技術文献】
【特許文献】
【０００５】
【特許文献１】特開２００４−２０５０５４号公報
【発明の概要】
【発明が解決しようとする課題】
【０００６】
浴室暖房換気乾燥機等の送風装置では、排気用のダクトの配管の関係等の要因で、設置される方向が決められる。吹出口グリルが横長の形状の構成では、吹出口グリルが洗い場側に来る配置か、洗い場と反対の壁側に来る配置の何れかが選択される。吹出口グリルが壁側にくる配置では、吹出口グリルとランドリパイプの間に吸込口グリルがある形態となる。
【０００７】
このように、吹出口グリルとランドリパイプの間に吸込口グリルがある形態で、吹出口グリルが洗い場側に来る配置と同様に、吹出口グリルからの空気の吹出方向をランドリパイプ側に向けると、吹出口グリルから吹き出された空気、特に温風が吸込口グリルに直接吸い込まれるショートサーキットと称される現象が発生し、送風装置の性能が低下するという問題があった。
【０００８】
このため、可動ルーバを備えて風向を切り替えられるようにした送風装置も提案されているが、構成が複雑になるという問題があった。
【０００９】
本発明は、このような課題を解決するためになされたもので、簡単な構成で、吹き出される空気の方向を切り替えられるようにした送風装置を提供することを目的とする。
【課題を解決するための手段】
【００１０】
上述した課題を解決するため、本発明は、温風または送風を吹き出す送風手段を有した装置本体の下面を覆うフロントパネルを備え、フロントパネルは、端部へ向けて上側へ傾斜する傾斜部と、傾斜部に着脱可能に取り付けられ、送風手段で吹き出される空気の向きを変える整流板を有した吹出口グリルと、吹出口グリルに並列して配置され、空気が吸い込まれる吸込口グリルを備えた送風装置である。
【００１１】
本発明の送風装置では、吹出口グリルの整流板の傾斜角が、フロントパネルの傾斜部の傾斜角により規定され、吹出口グリルをフロントパネルに取り付ける向きによって、吹出口グリルの整流板の傾斜角が選択可能である。
【発明の効果】
【００１２】
本発明によれば、フロントパネルの傾斜部に吹出口グリルが取り付けられることで、可動部材を設けることなく、吹出口グリルの整流板の傾斜角が選択可能である。これにより、所定の風向で温風等を吹き出すことができ、送風装置としての性能を向上させることができる。また、送風装置で吹き出した温風が直接吸い込まれるショートサーキットの発生を防止することができる。
【図面の簡単な説明】
【００１３】
【図１】本実施の形態の浴室暖房換気乾燥装置の一例を示す断面図である。
【図２】本実施の形態の浴室暖房換気乾燥装置の一例を示す断面図である。
【図３】本実施の形態の浴室暖房換気乾燥装置の一例を示す斜視図である。
【図４】本実施の形態の浴室暖房換気乾燥装置の設置例を示す浴室の構成図である。
【図５】本実施の形態の浴室暖房換気乾燥装置の設置例を示す浴室の構成図である。
【図６】フロントパネルの詳細を示す断面図である。
【発明を実施するための形態】
【００１４】
以下、図面を参照して本発明の送風装置の実施の形態としての空調装置である浴室暖房換気乾燥装置について説明する。
【００１５】
＜本実施の形態の浴室暖房換気乾燥装置の構成例＞
図１及び図２は、本実施の形態の浴室暖房換気乾燥装置の一例を示す断面図、図３は、本実施の形態の浴室暖房換気乾燥装置の一例を示す斜視図、図４及び図５は、本実施の形態の浴室暖房換気乾燥装置の設置例を示す浴室の構成図である。
【００１６】
本実施の形態の浴室暖房換気乾燥装置１は、装置本体２とフロントパネル３を備え、浴室１００の天井１０１に、フロントパネル３を露出させる形態で設置される。
【００１７】
浴室暖房換気乾燥装置１は、浴室１００の空気を吸い込んで、温風または室温に応じた送風を吹き出す循環ファン４と、浴室１００の空気を吸い込んで排気する換気ファン５を装置本体２に備える。循環ファン４及び換気ファン５は、例えば、シロッコファンと称される多翼ファンで構成され、循環ファン４を下側として、循環ファン４と換気ファン５が上下方向に重ねられて、装置本体２に取り付けられる。
【００１８】
循環ファン４は送風手段の一例で、多翼の羽根車（ファン）４０と、羽根車４０を回転駆動する循環ファンモータ４１と、風路を形成する循環ファンケース４２を備える。
【００１９】
循環ファン４は、羽根車４０の回転軸が縦向きとなる方向で配置され、循環ファンケース４２は、羽根車４０の軸方向に沿った下面を開口して形成される吸込口４２ａと、羽根車４０の接線方向に沿って形成される風路と連通した吹出口４２ｂを備える。循環ファン４の吹出口４２ｂは、装置本体２の下面側に長方形の開口部を有する。
【００２０】
循環ファン４は、循環ファンケース４２の吹出口４２ｂの近傍の風路にヒータ６を備える。ヒータ６は加熱手段の一例で、例えばＰＴＣヒータで構成され、ヒータ６に通電されると、吹出口４２ｂを通る空気がヒータ６で加熱されることで暖められ、温風が吹き出される。
【００２１】
換気ファン５は換気手段の一例で、多翼の羽根車（ファン）５０と、羽根車５０を回転駆動する換気ファンモータ５１と、風路を形成する換気ファンケース５２を備える。
【００２２】
換気ファン５は、羽根車５０の回転軸が縦向きとなる方向で配置され、換気ファンケース５２は、羽根車５０の軸方向に沿った下面を開口して形成される吸込口５２ａと、羽根車５０の接線方向に沿って形成される風路と連通した吹出口５２ｂを備える。
【００２３】
装置本体２は、換気ファン５の吸込口５２ａの下側に換気風路形成部材７が取り付けられる。換気風路形成部材７は、装置本体２の下面に形成される浴室換気吸込口７０と換気ファン５の吸込口５２ａを連通させる浴室換気風路を形成する。
【００２４】
装置本体２は、一の側面に吸気ダクト接続部８を備え、吸気ダクト接続部８と、換気ファン５の吸込口５２ａを連通させる室内換気風路が内部に形成される。また、装置本体２は、換気ファン５の吹出口５２ｂと連通する排気ダクト接続部９を、吸気ダクト接続部８を備えた側面と異なる他の側面に備える。
【００２５】
浴室暖房換気乾燥装置１は、装置本体２の下面にフロントパネル３が着脱できるように取り付けられる。図６は、フロントパネルの詳細を示す断面図であり、次に、各図を参照して本実施の形態のフロントパネルの詳細について説明する。
【００２６】
フロントパネル３は、循環ファン４の吹出口４２ｂと繋がる吹出口グリル３０を備える。吹出口グリル３０は、図３に示すように、フロントパネル３の長手方向に沿って延びる横長の長方形で、図６に示すように、短手方向において風向を変える整流板３０ａを備える。
【００２７】
フロントパネル３は、循環ファン４の吸込口４２ａ及び換気風路形成部材７を介して換気ファン５の吸込口５２ａと繋がる吸込口グリル３１を備える。更に、フロントパネル３は、吸込口グリル３１の裏側にフィルタ３１ａが交換可能に取り付けられる。
【００２８】
フロントパネル３は、短手方向の端部へ向けて上側へ傾斜する傾斜部３２を備える。フロントパネル３は、少なくとも吹出口グリル３０が取り付けられる部分に傾斜部３２が形成される。本例では、図６に示すように、吸込口グリル３１が設けられる短手方向の中央部分から端部へ向けて全体が湾曲した形状となっており、上側へ向けて湾曲した一方の部分に傾斜部３２が形成されると共に、上側へ向けて湾曲した他方の部分に吸込口グリル３１が形成される。
【００２９】
フロントパネル３は、吹出口グリル３０が着脱可能に取り付けられる吹出口取付部３３を傾斜部３２に備える。吹出口取付部３３では、傾斜部３２の傾きに沿うような向きで吹出口グリル３０が取り付けられる。また、吹出口取付部３３では、吹出口グリル３０の長手方向の向きを入れ替えて取り付けることが可能である。
【００３０】
すなわち、吹出口グリル３０は、図６（ａ）に示すように、整流板３０ａが吸込口グリル３１と反対側を向く方向と、図６（ｂ）に示すように、整流板３０ａが吸込口グリル３１側を向く方向の何れかが選択されて、フロントパネル３に取り付けられる。
【００３１】
これにより、フロントパネル３では、傾斜部３２の角度と、吹出口グリル３０を取り付ける向きによって変化する整流板３０ａの角度によって、温風または送風が吹き出される角度が規定される。
【００３２】
＜浴室暖房換気乾燥装置の設置例＞
次に、本実施の形態の浴室暖房換気乾燥装置の設置例について、図４と図５等を参照して説明する。浴室暖房換気乾燥装置１は、浴室１００の天井１０１で、浴槽１００ａが設置されている場所の上側に設置される。浴室１００の天井１０１には、浴室暖房換気乾燥装置１の装置本体２が入れられる開口部が形成され、浴室暖房換気乾燥装置１は、フロントパネル３が露出するようにして、天井裏から吊り下げる形態、あるいは天井１０１に固定する形態等で取り付けられる。
【００３３】
浴室暖房換気乾燥装置１の操作部１０は、浴室１００に隣接する洗面脱衣所１１０の壁面等に取り付けられ、例えばケーブルで浴室暖房換気乾燥装置１と接続される。
【００３４】
浴室１００の天井１０１に取り付けられた浴室暖房換気乾燥装置１は、図１に示す吸気ダクト接続部８に吸気ダクト８０が接続される。吸気ダクト８０は、洗面脱衣所１１０の天井に取り付けられた副吸込口グリル８１と接続され、浴室暖房換気乾燥装置１で洗面脱衣所１１０等の空気を換気できる構成となっている。
【００３５】
また、浴室１００の入口に浴室ドア１０２が備えられ、浴室ドア１０２に空気取入口（ガラリ）１０２ａを備えて、洗面脱衣所１１０等の空気を浴室１００内に取り込めるようになっている。
【００３６】
更に、浴室１００の天井１０１に取り付けられた浴室暖房換気乾燥装置１は、図１に示す排気ダクト接続部９に排気ダクト９０が接続される。排気ダクト９０は、図示しない建物の外壁１０３に取り付けられた排気グリル９１に接続され、浴室暖房換気乾燥装置１の吸込口グリル３１から吸気した浴室１００等の空気と、副吸込口グリル８１及び吸気ダクト８０を介して吸気した洗面脱衣所１１０等の空気を、排気ダクト９０を介して屋外に排気できる構成となっている。
【００３７】
浴室暖房換気乾燥装置１は、洗濯物等を乾燥させる機能も備えるので、浴室１００には、洗濯物等を掛けるランドリパイプ１０４が備えられる。
【００３８】
吸気ダクト８０及び排気ダクト９０は、浴室１００が設置される建物の構造等によって配管経路が決められる。このため、浴室暖房換気乾燥装置１は、建物や浴室１００の構造に応じて、図４に示すように、吹出口グリル３０が洗い場１００ｂ側となる配置か、図５に示すように、吹出口グリル３０が洗い場１００ｂ側と反対側の壁側となる配置を選択して、浴室１００の天井１０１に設置される。吹出口グリル３０が洗い場１００ｂ側に配置される向きを正取付状態と称し、吹出口グリル３０が洗い場１００ｂと反対側に配置される向きを逆取付状態と称す。
【００３９】
そして、浴室暖房換気乾燥装置１が正取付状態あるいは逆取付状態の何れであっても、吹出口グリル３０からの空気の吹き出し方向がランドリパイプ１０４方向となるように、浴室暖房換気乾燥装置１の配置に応じて吹出口グリル３０が取り付けられる向きが選択される。
【００４０】
すなわち、図４に示すように、吹出口グリル３０が洗い場１００ｂ側に配置される正取付状態では、吹出口グリル３０は、図６（ａ）に示すように、整流板３０ａが吸込口グリル３１と反対側を向く方向として、フロントパネル３に取り付けられる。また、図５に示すように、吹出口グリル３０が洗い場１００ｂと反対側に配置される逆取付状態では、吹出口グリル３０は、図６（ｂ）に示すように、整流板３０ａが吸込口グリル３１側を向く方向として、フロントパネル３に取り付けられる。
【００４１】
＜フロントパネルの具体例＞
次に、フロントパネル３と吹出口グリル３０の形状の詳細について、図４〜図６を参照して説明する。図４に示すように、吹出口グリル３０が洗い場１００ｂ側に配置される正取付状態では、吹出口グリル３０とランドリパイプ１０４の間に吸込口グリル３１が配置されないことから、整流板３０ａによる空気の吹出方向を、ランドリパイプ１０４に向くような方向とすれば良い。
【００４２】
一方、図５に示すように、吹出口グリル３０が洗い場１００ｂと反対側に配置される逆取付状態では、吹出口グリル３０とランドリパイプ１０４の間に吸込口グリル３１が配置される。これにより、整流板３０ａによる空気の吹出方向を、ランドリパイプ１０４に向くような方向とすると、空気が吹き出される角度によっては、吹出口グリル３０から吹き出された空気が吸込口グリル３１から直接吸い込まれる、いわゆるショートサーキットの状態となる可能性がある。
【００４３】
そこで、正取付状態では、吹出口グリル３０からの空気の吹き出し方向がランドリパイプ１０４方向となるようにすると共に、逆取付状態では、ショートサーキットの発生を抑えつつ、かつ、吹出口グリル３０からの空気の吹き出し方向がランドリパイプ１０４方向となるように、フロントパネル３の傾斜部３２の角度と、吹出口グリル３０の整流板３０ａの角度を決める。
【００４４】
フロントパネル３に傾斜部３２を設け、傾斜部３２に吹出口グリル３０を取り付けることで、吹出口グリル３０を取り付ける向きによって、可動部品を設けることなく整流板３０ａの角度を変化させることができる。そこで、フロントパネル３の傾斜部３２の傾斜角Ａは、水平面に対して上向きに約２．５°とした。吹出口グリル３０の整流板３０ａの傾斜角Ｂは、吹出口グリル単体で約１２．５度とした。
【００４５】
これにより、図６（ａ）に示す正取付状態では、整流板３０ａが吸込口グリル３１と反対側を向くことで、第１の角度である鉛直方向Ｇに対する整流板３０ａの傾斜角Ｃ１は、整流板３０ａの傾斜角Ｂとフロントパネル３の傾斜部３２の傾斜角Ａを加算した値となって、約１５°となる。
【００４６】
一方、図６（ｂ）に示す逆取付状態では、整流板３０ａが吸込口グリル３１側を向くことで、第２の角度である鉛直方向Ｇに対する整流板３０ａの傾斜角Ｃ２は、整流板３０ａの傾斜角Ｂからフロントパネル３の傾斜部３２の傾斜角Ａを減算した値となって、約１０°となる。
【００４７】
本例では、浴室暖房換気乾燥装置１の設置位置と、浴室１００の大きさ等の関係から、正取付状態では、吹出口グリル３０からの空気の吹き出し角度を、垂直方向に対して約１５°傾けてランドリパイプ１０４側に向けることで、乾燥や暖房運転で最適な条件となった。
【００４８】
これに対して、吹出口グリル３０とランドリパイプ１０４の間に吸込口グリル３１が配置される逆取付状態では、吹出口グリル３０からの空気の吹き出し角度を、垂直方向に対して約１０°傾けてランドリパイプ１０４側に向けることで、ショートサーキットの発生を抑えて、かつ、空気の吹出方向をランドリパイプ１０４方向とすることができた。
【００４９】
なお、上述したフロントパネル３の傾斜部３２の角度と、吹出口グリル３０の整流板３０ａの角度は一例であり、例えば、フロントパネル３の傾斜部３２の角度は、約１．５°〜５°程度とすることが好ましい。
【００５０】
また、フロントパネル３は、吸込口グリル３１が設けられる短手方向の中央部分から端部へ向けて全体が湾曲した形状となっており、傾斜部３２と反対側を向く部分に吸込口グリル３１が形成される。これにより、空気が吸い込まれる方向を、吹出口グリル３０と反対側に向けることができ、ショートサーキットの発生をより防止することができる。
【００５１】
＜本実施の形態の浴室暖房換気乾燥装置の動作例＞
次に、本実施の形態の浴室暖房換気乾燥装置１の動作の概要について、各図を参照して説明する。操作部１０で暖房モードボタンが押されると、循環ファン４とヒータ６が駆動される。
【００５２】
循環ファン４で循環ファンモータ４１が駆動されると、フロントパネル３の吸込口グリル３１から浴室１００内の空気が吸い込まれる。ヒータ６が駆動され通電されると、循環ファンケース４２内を通る空気が加温され、吹出口グリル３０から温風Ｗが吹き出される。
【００５３】
なお、暖房モードでは、換気ファンモータ５１は駆動されず、換気は行われないので、暖房モードで暖められた浴室１００内の空気が排出されることはない。
【００５４】
操作部１０で涼風モードボタンが押されると、循環ファン４と換気ファン５が駆動される。循環ファン４が駆動されると、フロントパネル３の吸込口グリル３１から浴室１００内の空気が循環ファン４に吸い込まれる。涼風運転モードでは、ヒータ６が駆動されないことで、循環ファンケース４２内を通る空気は加温されず、吹出口グリル３０から浴室１００内の温度に応じた送風（涼風）Ｗが吹き出される。
【００５５】
換気ファン５が駆動されると、フロントパネル３の吸込口グリル３１から浴室１００内の空気が換気ファン５に吸い込まれる。換気ファン５に吸い込まれた空気は、図４または図５に示す排気ダクト９０を通り排気グリル９１から屋外へ排出される。
【００５６】
これにより、涼風運転モードでは、夏季等に浴室暖房換気乾燥装置１を扇風機として使用することができる。そして、涼風運転モードでは、換気ファン５を駆動することで浴室１００内の空気を換気しながら、送風を吹き出すようになっており、浴室１００内の湿気等を換気しながら、送風を行うことができる。
【００５７】
操作部１０で乾燥モードボタンが押されると、循環ファン４、ヒータ６及び換気ファン５が駆動される。循環ファン４及びヒータ６が駆動されると、フロントパネル３の吸込口グリル３１から浴室１００内の空気が循環ファン４に吸い込まれ、吹出口グリル３０から温風Ｗが吹き出される。
【００５８】
換気ファン５が駆動されると、フロントパネル３の吸込口グリル３１から浴室１００内の空気が換気ファン５に吸い込まれ、図４または図５に示す排気ダクト９０を通り排気グリル９１から屋外へ排出される。
【００５９】
これにより、乾燥運転モードでは、浴室１００に温風を吹き出すと共に、浴室１００の空気を屋外に排出することで、浴室１００内のランドリパイプ１０４に干した衣類の洗濯物等を乾燥させることができる。
【００６０】
操作部１０で換気モードボタンが押されると、換気ファン５が駆動される。換気ファン５が駆動されると、フロントパネル３の吸込口グリル３１から、浴室１００内の空気が換気ファン５に吸い込まれる。また、図４あるいは図５に示す副吸込口グリル８１から、洗面脱衣所１１０内の空気が換気ファン５に吸い込まれる。換気ファン５に吸い込まれた空気は、排気ダクト９０を通り排気グリル９１から屋外へ排出される。
【００６１】
これにより、換気運転モードでは、浴室１００及び副吸込口グリル８１が設置された他室、例えば洗面脱衣所１１０内の空気を屋外に排出することができる。なお、浴室１００と洗面脱衣所１１０の間では、浴室ドア１０２の空気取入口１０２ａからも洗面脱衣所１１０の空気が浴室１００に取り込まれ、浴室暖房換気乾燥装置１により屋外に排出される。
【００６２】
ここで、浴室暖房換気乾燥装置１は、２４時間換気システムを構成することも可能である。すなわち、浴室暖房換気乾燥装置１は、浴室１００及び副吸込口グリル８１が設置された洗面脱衣所１１０内の空気を屋外に排出することで、洗面脱衣所１１０の図示しないドアのアンダーカット部等から、各部屋の空気が吸気される。これにより、所定の部屋に備えた空気の取り入れ口から、新鮮な外気が取り込まれる。そして、必要換気風量が得られるように換気ファン５の風量を設定することで、所定換気回数を満たすことができる。
【００６３】
本実施の形態の浴室暖房換気乾燥装置１では、吹出口グリル３０が横長の長方形であり、吹出口グリル３０がランドリパイプ１０４に沿った浴槽１００ａ及び洗い場１００ｂの長手方向に向けて配置される。これにより、暖房運転時に洗い場１００ｂの全体に温風Ｗを行き渡らせることができる。また、乾燥運転時にランドリパイプ１０４に掛けられた衣類の多くに温風Ｗを当てることができる。
【００６４】
更に、フロントパネル３に傾斜部３２を設け、傾斜部３２に吹出口グリル３０を取り付けることで、吹出口グリル３０を取り付ける向きによって、可動部品を設けることなく整流板３０ａの角度を変化させることができる。これにより、浴室暖房換気乾燥装置１が正取付状態であっても逆取付状態であっても、最適な性能を得ることができる。
【００６５】
特に、ヒータを使用する暖房運転及び乾燥運転では、ショートサーキットが発生すると、ヒータで暖められた空気が直接吸い込まれることで、センサが所定の温度上昇を検知して、ヒータの駆動が停止されることがある。このような場合、室温は十分に上昇していないにも関わらず、ヒータの駆動が停止されることで、暖房性能及び乾燥性能が低下する。また、ヒータのオンとオフが短時間で繰り返されることになって、部品の寿命低下をもたらす。
【００６６】
これに対して、吹出口グリル３０を取り付ける向きを変えることで、空気の吹出方向の最適化を図れるようにして、ショートサーキットの発生を抑えることで、可動ルーバ等を用いることなく、所定の暖房性能及び乾燥性能を得ることができる。
【００６７】
なお、本発明の送風装置は、換気機能がない温風暖房装置や冷房機能を備えたものであっても良く、様々な送風装置に適用可能である。
【産業上の利用可能性】
【００６８】
本発明は、浴室等の室内の暖房や換気、衣類の乾燥等を行う機能を有する室内の送風装置に適用される。
【符号の説明】
【００６９】
１・・・浴室暖房換気乾燥装置、２・・・装置本体、３・・・フロントパネル、３０・・・吹出口グリル、３０ａ・・・整流板、３１・・・吸込口グリル、３２・・・傾斜部、３３・・・吹出口取付部、４・・・循環ファン、５・・・換気ファン
【図１】
2010223447.tif 000003
【図２】
2010223447.tif 000004
【図３】
2010223447.tif 000005
【図４】
2010223447.tif 000006
【図５】
2010223447.tif 000007
【図６】
2010223447.tif 000008